(57)【要約】【課題】  通信コストの増加を招くことなく、通信相手に対して矛盾のない正確なプレゼンス情報を提供することができる通信端末を提供する。【解決手段】  プレゼンス情報更新処理１０１では、操作部１２の操作に従って、プレゼンス情報を「在席」または「退席」に更新する。この操作部１２の操作が適切に行われない場合でも、プレゼンス情報更新処理１０１では、マイク１６により収音される音を監視することによりユーザの在席／退席を判定し、判定結果に基づいてプレゼンス情報を更新する。プレゼンス情報送信処理１０２は、プレゼンス情報を通信部１４により他の装置に送信する。【選択図】図１
2007129411.tif 000002
【特許請求の範囲】
【請求項１】
ネットワークを介して他の装置との通信を行う通信手段と、
操作部と、
外界の音を収音する収音手段と、
前記操作部の操作に従って、当該通信端末のユーザの在席／退席を示すプレゼンス情報を更新するとともに、前記収音手段により収音される音に基づいてユーザの在席／退席を判定し、判定結果に基づいて前記プレゼンス情報を更新するプレゼンス情報更新手段と、
前記プレゼンス情報を前記通信手段により他の装置に送信するプレゼンス情報送信処理手段と
を具備することを特徴とする通信端末。
【請求項２】
前記プレゼンス情報更新手段は、前記収音手段により収音される音に対して音声認識処理を施し、所定のフレーズの音声が認識された場合に前記プレゼンス情報の更新を行うことを特徴とする請求項１に記載の通信端末。
【請求項３】
前記プレゼンス情報更新手段は、当該通信端末の設置された会議室における遠隔会議の参加者の音声の特徴を示す音声特徴データをネットワークを介して取得し、取得した音声特徴データが示す特徴を持った音声が前記収音手段により収音されるか否かの判定を行うことにより、前記在席／退席の判定を行うことを特徴とする請求項１に記載の通信端末。
【請求項４】
ネットワークを介して他の装置との通信を行う通信手段と、
操作部と、
呼気センサと、
前記操作部の操作に従って、当該通信端末のユーザの在席／退席を示すプレゼンス情報を更新するとともに、前記呼気センサにおける呼気の検出の有無に基づいてユーザの在席／退席を判定し、判定結果に基づいて前記プレゼンス情報を更新するプレゼンス情報更新手段と、
前記プレゼンス情報を前記通信手段により他の装置に送信するプレゼンス情報送信処理手段と
を具備することを特徴とする通信端末。
【請求項５】
ネットワークを介して他の装置との通信を行う通信手段と、
操作部と、
撮像手段と、
前記操作部の操作に従って、当該通信端末のユーザの在席／退席を示すプレゼンス情報を更新するとともに、前記撮像手段により得られる外界の画像に基づいてユーザの在席／退席を判定し、判定結果に基づいて前記プレゼンス情報を更新するプレゼンス情報更新手段と、
前記プレゼンス情報を前記通信手段により他の装置に送信するプレゼンス情報送信処理手段と
を具備することを特徴とする通信端末。
【発明の詳細な説明】
【技術分野】
【０００１】
この発明は、プレゼンス情報の送信機能を有する通信端末に関する。
【背景技術】
【０００２】
通信端末の中には、いわゆるプレゼンス情報を通信相手装置との間で交換する機能を備えたものがある。このプレゼンス情報は、ユーザの在席／退席等に関する情報である。多くの通信端末は、通信相手装置に送るプレゼンス情報をユーザが操作部の操作により設定することができるようになっている。通信端末において操作部の操作により「在席」または「退席」の内容が設定されたプレゼンス情報は、その通信端末の通信相手装置に送られ、通信相手装置では、プレゼンス情報の内容が表示部に表示される。また、通信端末の中には、例えば一定時間以上に亙って操作部の操作が行われない場合にプレゼンス情報の内容を「退席」とし、操作部の操作が行われた場合にはプレゼンス情報の内容を「在席」に戻す、という具合にプレゼンス情報を自動的に切り換える機能を備えたものもある。この種の通信端末によれば、ユーザがプレゼンス情報の設定のための操作部の操作をし忘れた場合にも、ユーザの在席／退席の状況が変化した場合には、現在の在席／退席の状況を正確に反映したプレゼンス情報が自動的に通信相手装置に伝えられる。しかしながら、この種の通信端末においても、例えばユーザが席を離れる際に自己のプレゼンス情報を「退席」にすることを忘れた場合、退席から一定時間が経ってからプレゼンス情報が「退席」に切り換えられ、その間、通信相手はユーザが退席したことを知ることができない。また、ユーザが席に戻ったとき、プレゼンス情報を「在席」に戻すのを忘れた場合にも、一定時間を経ないとプレゼンス情報が「在席」に戻らず、この間、通信相手はユーザが席に戻ったことを知ることができない。このような問題を解決するため、特許文献１は、通信端末がマイクにより得られる音声情報またはカメラにより得られる画像情報をプレゼンス情報として通信相手装置に送信する技術を開示している。
【特許文献１】特開２００４−２１４９３４号公報
【発明の開示】
【発明が解決しようとする課題】
【０００３】
特許文献１に開示された技術によれば、通信端末からプレゼンス情報として送られてくる音声情報や画像情報の通信相手装置側において再生することにより、通信相手装置側のユーザは、通信端末のユーザの在席／退席の状況を遅滞なく知ることができる。しかし、通信端末は、このようなプレゼンス情報としての音声情報や画像情報を送信する一方で、操作部の操作に基づいて設定したプレゼンス情報を通信相手装置に送信する。このため、通信相手装置側では、例えば表示部に表示されている画像またはスピーカから再生される音声によると、通信端末のユーザは在席しているのに、「退席」を示すプレゼンス情報が通信端末から受信され、表示部に表示される、といった矛盾、あるいは表示部に表示されている画像またはスピーカから再生される音声によると、通信端末のユーザは退席しているのに、「在席」を示すプレゼンス情報が通信端末から受信され、表示部に表示される、といった矛盾が発生し得るという問題がある。また、特許文献１に開示された技術は、通信のための帯域の他に、プレゼンス情報としての音声情報や画像情報を送信するための帯域が必要であり、通信コストが嵩むという問題がある。特許文献１に開示された技術を利用せず、通信端末の操作部の操作の有無の監視結果に基づいてプレゼンス情報の更新を行って通信相手装置に送信する方法を採用すれば、これらの問題は生じない。しかし、会議端末などのような通信端末は、通信中（すなわち、会議中）、操作部の操作が頻繁に行われるものではないため、この方法を採用することはできない。
【０００４】
この発明は、以上説明した事情に鑑みてなされたものであり、通信中において操作部の操作が頻繁に行われない会議端末などの通信端末としても実現可能であり、通信コストの増加を招くことなく、通信相手に対して矛盾のない正確なプレゼンス情報を提供することができる通信端末を提供することを目的としている。
【課題を解決するための手段】
【０００５】
この発明は、ネットワークを介して他の装置との通信を行う通信手段と、操作部と、外界の音を収音する収音手段と、前記操作部の操作に従って、当該通信端末のユーザの在席／退席を示すプレゼンス情報を更新するとともに、前記収音手段により収音される音に基づいてユーザの在席／退席を判定し、判定結果に基づいて前記プレゼンス情報を更新するプレゼンス情報更新手段と、前記プレゼンス情報を前記通信手段により他の装置に送信するプレゼンス情報送信処理手段とを具備することを特徴とする通信端末を提供する。
かかる通信端末によれば、ユーザが操作部の操作によるプレゼンス情報の更新を忘れた場合においても、収音手段により収音される音に基づいてプレゼンス情報が適切に更新される。
プレゼンス情報の更新の基礎とする情報を取得する手段としては、収音手段の代わりに、呼気センサや撮像手段を用いてもよい。
【発明を実施するための最良の形態】
【０００６】
以下、図面を参照し、この発明の実施の形態を説明する。
図１はこの発明に係る通信端末の一実施形態である音声会議端末１の構成を示すブロック図である。この音声会議端末１は、ネットワーク（図示略）を介して他の音声会議端末と遠隔会議のための通信を行う装置である。
【０００７】
図１において、制御部１１は、音声会議端末１の各部を制御する装置であり、ＣＰＵと、ＣＰＵにより実行されるプログラム等を記憶したＲＯＭと、ＣＰＵによりワークエリアとして用いられるＲＡＭなどにより構成されている。操作部１２は、音声会議端末１の筐体に配備された押しボタンなどの操作子の集合体である。制御部１１は、この操作部１２の操作を検知することにより、ユーザによって入力された各種のコマンドや情報を検知する。表示部１３は、ＬＣＤ（Liquid Crystal Display；液晶表示装置）などにより構成されており、音声会議端末１の状態の表示やユーザに対する案内メッセージの表示を行う。通信部１４は、制御部１１による制御の下、ネットワークに接続された他の装置への接続要求の送信、あるいは他の装置からの接続要求への応答を行うことにより、１または複数の他の装置との間にネットワークを介してコネクションを確立し、そのコネクションを介した通信の制御を行う装置である。音声処理部１５は、遠隔会議の際、制御部１１による制御の下、マイク１６により得られる会議の参加者の音声信号を通信部１４を介して相手の会議端末に送り、通信部１４により受信される相手の会議端末からの音声信号をスピーカ１７に供給し、音声として放音させる装置である。
【０００８】
制御部１１は、遠隔会議のための通信制御機能の他、プレゼンス情報に関する処理機能を有している。図１には、制御部１１が実行するプレゼンス情報に関する処理として、プレゼンス情報更新処理１０１と、プレゼンス情報送信処理１０２と、プレゼンス情報受信処理１０３と、プレゼンス情報表示処理１０４が示されている。これらの処理は１つのアプリケーションプログラムに含まれており、同アプリケーションプログラムは、音声会議端末１が通信相手装置との間にコネクションを確立して通信を開始するときに起動される。
【０００９】
プレゼンス情報更新処理１０１は、操作部１２に対して行われる操作またはマイク１６の出力信号の監視結果に基づき、この音声会議端末１の設置された部屋内に遠隔会議の参加者が在席しているか否かを示すプレゼンス情報を更新し、最新のプレゼンス情報をプレゼンス情報送信処理１０２に引き渡す処理である。本実施形態の最大の特徴は、このプレゼンス情報更新処理１０１にある。従来の技術と同様、操作部１２の操作によりプレゼンス情報の内容を「退席」に設定すべき旨の指示または「在席」に設定すべき旨の指示が与えられた場合、本実施形態におけるプレゼンス情報更新処理１０１では、この指示に従ってプレゼンス情報を更新する。しかし、遠隔会議の参加者がこのような指示のための操作を忘れる場合もあり、この場合には、通話相手装置に送信されるプレゼンス情報が事実に反した誤ったものとなる。そこで、本実施形態におけるプレゼンス情報更新処理１０１では、マイク１６を、外界において発生する人の有無を示す情報を収集する情報収集手段として活用し、この情報収集手段たるマイク１６の出力信号に基づいて部屋内の人の有無を判断し、この判断結果を用いてプレゼンス情報を更新することにより、プレゼンス情報が誤ったものになるのを防止している。なお、プレゼンス情報更新処理１０１の具体的処理内容は、説明の重複を避けるため、本実施形態の動作説明において詳細を明らかにする。
【００１０】
プレゼンス情報送信処理１０２は、プレゼンス情報更新処理１０１から引き渡されたプレゼンス情報を通信部１４に送信させる処理である。また、プレゼンス情報受信処理１０３は、通信部１４を介してプレゼンス情報を受信し、プレゼンス情報表示処理１０４に引き渡す処理である。プレゼンス情報表示処理１０４は、プレゼンス情報受信処理１０３から引き渡されたプレゼンス情報を表示部１３に表示する処理である。
【００１１】
プレゼンス情報の送受信に関して、図２（ａ）および（ｂ）に示す２つの実施形態があり得る。これらの図において、音声会議端末１Ａおよび１Ｂは、いずれも本実施形態における音声会議端末１に該当するものであり、図示しないネットワークを介して接続され、相互に音声情報の授受を行っている。
【００１２】
図２（ａ）に示す形態では、音声会議端末１Ａおよび１Ｂは、互いに通信相手に対してプレゼンス情報を送信する。この形態において、プレゼンス情報送信処理１０２およびプレゼンス情報受信処理１０３におけるプレゼンス情報の送受信の相手は、通話相手の音声会議端末となる。また、この形態では、音声会議端末１Ａおよび１Ｂ間に音声情報の送受信のためのコネクションが確立している期間に限り、音声情報と同じルートを利用してプレゼンス情報の送受信が行われる。
【００１３】
図２（ｂ）に示す形態では、プレゼンス情報は、ネットワークに設けられたプレゼンス情報管理サーバ２を経由して、関係する音声会議端末間で授受される。この形態において、プレゼンス情報送信処理１０２およびプレゼンス情報受信処理１０３におけるプレゼンス情報の送受信の相手は、プレゼンス情報管理サーバ２となる。プレゼンス情報管理サーバ２のサービスを受ける各音声会議端末は、受信を希望するプレゼンス情報の発生元である音声会議端末を指定するユーザリストをプレゼンス情報管理サーバ２に登録しておく。そして、各音声会議端末は、自端末のプレゼンス情報をプレゼンス情報管理サーバ２に送信する。プレゼンス情報管理サーバ２は、音声会議端末からプレゼンス情報が受信された場合、そのプレゼンス情報の受信を希望している音声会議端末を、各音声会議端末によって登録された各ユーザリストを参照することにより求め、その音声会議端末にプレゼンス情報を送信する。
【００１４】
図２（ｂ）に示す例では、音声会議端末１Ａがプレゼンス情報管理サーバ２に登録したユーザリストに音声会議端末１Ｂが挙がっており、音声会議端末１Ｂがプレゼンス情報管理サーバ２に登録したユーザリストには音声会議端末１Ａが挙がっている。このため、プレゼンス情報管理サーバ２は、音声会議端末１Ａから受信されるプレゼンス情報を音声会議端末１Ｂに送り、音声会議端末１Ｂから受信される音声情報を音声会議端末１Ａに送る。
【００１５】
プレゼンス情報送信処理１０２におけるプレゼンス情報の送信の契機に関しても各種の実施形態があり得る。第１の態様において、プレゼンス情報送信処理１０２では、定期的にプレゼンス情報を音声会議端末１の通信相手装置またはプレゼンス情報管理サーバ２に送信する。第２の態様において、プレゼンス情報送信処理１０２では、通信相手装置またはプレゼンス情報管理サーバ２から問い合わせがあったとき、それに対する応答としてプレゼンス情報を返信する。第３の態様において、プレゼンス情報送信処理１０２では、プレゼンス情報が示す状態に変化が生じた場合に、プレゼンス情報を通話相手装置またはプレゼンス情報管理サーバ２に送信する。
【００１６】
図３は、以上挙げたもののうち第３の態様において送信されるプレゼンス情報を示している。同図に示すように、プレゼンス情報は、音声会議端末１の設置された部屋における人の在席／退席の状態を示す情報と、その状態が開始された時刻を示す情報とを含む。図４は、プレゼンス情報管理サーバ２におけるプレゼンス情報の格納状態を示す。同図に示すように、各音声会議端末から受信されたプレゼンス情報は、適当な管理番号と、プレゼンス情報の送信元である音声会議端末を示す端末情報とともにプレゼンス情報管理サーバ２に格納される。プレゼンス情報が示す状態開始時刻は、そのプレゼンス情報の信憑性を判断するのに役立つ。この状態開始時刻がプレゼンス情報の受信時刻から大きくずれている場合、プレゼンス情報は正常なものでない可能性がある。この場合、通信相手装置またはプレゼンス情報管理サーバ２は、プレゼンス情報に異常がないかどうか確認すべき旨のメッセージを、該当するプレゼンス情報とともに、その送信元である音声会議端末１に送る。このメッセージを受け取った音声会議端末１では、エラーの解析または表示部１３へのエラーメッセージの表示が行われる。
【００１７】
図５はプレゼンス情報更新処理１０１の動作を示す状態遷移図である。以下、この図を参照し、本実施形態の動作を説明する。なお、以下の例において、プレゼンス情報送信処理１０２は、上述した第３の態様によりプレゼンス情報の送信を行う。プレゼンス情報更新処理１０１は、内部状態として、在席状態ＳＴ０、退席状態ＳＴ１および無変更指示待ち状態ＳＴ２を有している。在席状態ＳＴ０は、プレゼンス情報が「在席」を示している内部状態、退席状態ＳＴ１は、プレゼンス情報が「退席」を示している内部状態、無変更指示待ち状態ＳＴ２は、在席状態ＳＴ０から退席状態ＳＴ１への遷移の中継を行う内部状態である。
【００１８】
在席状態ＳＴ０において、操作部１２の操作により「退席」を指定する情報が入力されると、プレゼンス情報更新処理１０１は、プレゼンス情報の内容を「退席」に更新し、内部状態を退席状態ＳＴ１に遷移させる（遷移ＴＲ０）。そして、プレゼンス情報更新処理１０１は、更新後のプレゼンス情報をプレゼンス情報送信処理１０２に引き渡す。また、退席状態ＳＴ１において、操作部１２の操作により「在席」を指定する情報が入力されると、プレゼンス情報更新処理１０１は、プレゼンス情報の内容を「在席」に更新し、内部状態を在席状態ＳＴ０に遷移させる（遷移ＴＲ１）。そして、プレゼンス情報更新処理１０１は、更新後のプレゼンス情報をプレゼンス情報送信処理１０２に引き渡す。以下同様であり、プレゼンス情報更新処理１０１では、他の内部状態から在席状態ＳＴ０への遷移または退席状態ＳＴ１への遷移があった場合、遷移後におけるプレゼンス情報をプレゼンス情報送信処理１０２に引き渡す。プレゼンス情報送信処理１０２では、このようにして引き渡されるプレゼンス情報を通信相手装置またはプレゼンス情報管理サーバ２に送信する（図２（ａ）および（ｂ）参照）。
【００１９】
また、プレゼンス情報更新処理１０１ではマイク１６の出力信号のレベルを監視している。そして、在席状態ＳＴ０において、一定時間以上に亙ってマイク１６に対する音声入力がないと判断したときは、プレゼンス情報の内容は「在席」のまま内部状態を無変更指示待ち状態ＳＴ２に遷移させる（遷移ＴＲ２）。この無変更指示待ち状態ＳＴ２において、プレゼンス情報更新処理１０１は、プレゼンス情報の内容を「在席」のままにするかどうかを問い合わせるメッセージを表示部１３に表示し、無変更指示待ち状態ＳＴ２への遷移後の経過時間の計時を行う。そして、所定時間の計時が終了する前に、プレゼンス情報の内容を「在席」のままにする旨の無変更指示が操作部１２から入力された場合、プレゼンス情報更新処理１０１は内部状態を在席状態ＳＴ０に戻す（遷移ＴＲ３）。一方、無変更指示が入力されることなく所定時間の計時が終了した場合、プレゼンス情報更新処理１０１は、プレゼンス情報の内容を「退席」に更新し、内部状態を退席状態ＳＴ１に遷移させる（遷移ＴＲ４）。退席状態ＳＴ１においては、一定時間以上に亙ってマイク１６に対する音声入力があると判断したとき、プレゼンス情報の内容を「在席」に更新し、内部状態を在席状態ＳＴ０に遷移させる（遷移ＴＲ５）。
【００２０】
以上のように、本実施形態によれば、ユーザが退席の際または席に戻った際、操作部１２によりプレゼンス情報を更新するのを忘れた場合においても、プレゼンス情報が適切な内容に更新され（遷移ＴＲ１、ＴＲ２およびＴＲ４）、通信相手装置に送信される。しかも、この場合のプレゼンス情報の更新は、マイク１６への音声入力の有無に基づいて行われるので、音声会議端末のように、通話中はあまり操作部の操作が行われない端末に適用した場合においても、プレゼンス情報を遅滞なく適切な内容に更新することが可能である。また、本実施形態において、プレゼンス情報は、音声情報や画像情報ではなく、ユーザが在席しているか退席しているかを示すデータ量の少ない情報なので、通信コストが嵩むことはない。
【００２１】
以上、この発明の一実施形態について説明したが、この発明にはこれ以外にも他の実施形態が考えられる。例えば次の通りである。
（１）マイク１６の出力信号に基づく退席／在席の判断の態様には各種のものが考えられる。ある態様では、何らかの物音を示す信号がマイク１６から出力されたか否かにより在席／退席の判断を行う。この態様は、プレゼンス情報更新処理１０１においてマイク１６の出力信号のレベルのみを監視すればよいので、実施が簡単であるという利点がある。他の態様において、プレゼンス情報更新処理１０１では、マイク１６により収音される音が人の音声であるか否かを判断した上で、一定時間以上に亙り、マイク１６から人の音声を示す信号が出力されたか否かにより在席／退席の判断をする。これは、人が在室しているか否かを正確に判断することができる利点がある。さらに別の態様では、プレゼンス情報更新処理１０１において、マイク１６により収音される音声について音声認識処理を行い、「トイレに行きます」、「休憩します」等のフレーズの音声が認識された場合にはプレゼンス情報の内容を「退席」に更新し、「只今戻りました」、「お待たせしました」等のフレーズの音声が認識された場合にはプレゼンス情報の内容を「在席」に更新する。この態様では、在席／退席の判断がさらに正確なものとなり、さらに在席／退席の状態の変化から遅れることなくプレゼンス情報が更新されるという利点がある。
【００２２】
（２）在席／退席の判断のための情報を収集する手段として、マイク１６に呼気センサを内蔵させてもよい。この態様において、プレゼンス情報更新処理１０１では、一定時間以上に亙って呼気センサから人の呼気を示す信号が出力されない場合にプレゼンス情報の内容を「退席」とし、一定時間以上に亙って人の呼気を示す信号が出力された場合にプレゼンス情報の内容を「在席」とする。
（３）在席／退席の判断のための情報を収集する手段として、音声会議端末にカメラを設けてもよい。この態様において、プレゼンス情報更新処理１０１では、カメラにより得られる画像に人の画像が含まれているか否かを解析し、一定時間以上に亙って、カメラの出力画像に人の画像が含まれていない場合にプレゼンス情報の内容を「退席」とし、一定時間以上に亙って人の画像が含まれている場合にプレゼンス情報の内容を「在席」とする。
【００２３】
（４）音声会議端末が会議予約システムと連携し、遠隔会議の参加者に限定して在席／退席の判断を行う実施形態も考えられる。以下、図６を参照し、この実施形態について説明する。この実施形態において、音声会議端末１は、ある企業の会議室に設置されている。会議予約システム３は、同企業の社員が企業内の会議室を使用して遠隔会議等を行う場合にその予約を受け付けるシステムであり、社員から受け付けた会議の予約状況を示す会議予約データ３２を記憶している。個々の会議予約データ３２は、会議の開催日時、会議のために予約された会議室、各会議室における会議の参加者を示す情報を含んでいる。音声特徴データベース３３は、この企業の社員の音声の特徴を示す音声特徴データ（例えば声紋データ）の集合体である。会議予約システム３は、この音声特徴データベース３３にアクセス可能である。
【００２４】
音声会議端末１のプレゼンス情報更新処理１０１は、情報要求処理１０５と音声入力判定処理１０６を含む。情報要求処理１０５は、音声会議端末１が遠隔会議のための通信を開始した直後に実行される。この情報要求処理１０５では、会議予約システム３に対し、情報要求を送る。会議予約システム３において、情報提供部３１は、この情報要求を受信すると、その送信元である音声会議端末１の設置された会議室を求め、その時点において同会議室を使用して行われる予定の遠隔会議に関連した会議予約データ３２を求める。そして、この会議予約データ３２から、音声会議端末１の設置された会議室における遠隔会議の参加者を求め、この参加者の音声特徴データを音声特徴データベース３３から読み出して音声会議端末１に送る。
【００２５】
音声会議端末１は、このようにして受信される１または複数の参加者の音声特徴データ３４を記憶する。音声入力判定処理１０６では、これらの音声特徴データ３４とマイク１６の出力信号とを比較する。そして、いずれかの音声特徴データ３４が示す特徴と一致する特徴を持った音声信号がマイク１６から出力された場合、音声入力判定処理１０６では、遠隔会議の参加者が在席していると判断する。また、マイク１６から音声信号が出力されない場合あるいはマイク１６から音声信号が出力されたがその音声信号の持っている特徴がいずれの音声特徴データのものとも一致しない場合には、遠隔会議の参加者が退席していると判断する。プレゼンス情報は、「退席」と判断される期間が一定時間以上継続したときに「退席」に更新し、「在席」と判断される期間が一定時間継続したときに「在席」に更新すればよい。
【００２６】
この実施形態では、会議の参加者に限定して音声入力の有無が判定されるので、会議とは無関係の人間の音声がマイク１６により収音され得る環境においても、プレゼンス情報を適切な内容に更新することができる。
【００２７】
（５）上記実施形態では、この発明を音声会議端末に適用した例を示したが、この発明は、音声会議端末に限らず、テレビ会議端末など各種の通信端末に適用可能である。
【図面の簡単な説明】
【００２８】
【図１】この発明の一実施形態である音声会議端末の構成を示すブロック図である。
【図２】同実施形態におけるプレゼンス情報の送信の態様を示す図である。
【図３】同実施形態において音声会議端末から送信されるプレゼンス情報の例を示す図である。
【図４】同実施形態においてプレゼンス情報管理サーバにおけるプレゼンス情報の格納状態を示す図である。
【図５】同実施形態におけるプレゼンス情報更新処理の動作を示す状態遷移図である。
【図６】この発明の他の実施形態におけるシステム全体の構成を示す図である。
【符号の説明】
【００２９】
１……音声会議端末、２……プレゼンス情報管理サーバ、３……会議予約システム、１１……制御部、１２……操作部、１３……表示部、１４……通信部、１５……音声処理部、１６……マイク、１７……スピーカ、１０１……プレゼンス情報更新処理、１０２……プレゼンス情報送信処理、１０３……プレゼンス情報受信処理、１０４……プレゼンス情報表示処理、３１……情報提供部、３２……会議予約データ、３３……音声特徴データベース、３４……音声特徴データ、１０５……情報要求処理、１０６……音声入力判定処理。
【図１】
2007129411.tif 000003
【図２】
2007129411.tif 000004
【図３】
2007129411.tif 000005
【図４】
2007129411.tif 000006
【図５】
2007129411.tif 000007
【図６】
2007129411.tif 000008